(57)【要約】【課題】水分の蒸発及び雑草の繁茂を抑えながらも、高い通水効率を備えた農業用マルチ資材を提供すること。【解決手段】水を表裏に通過させる複数の通水部１４が形成された農業用マルチ資材において、前記通水部１４は、中心から距離をおいて放射状に配置された複数本の直線状のスリット１４１の集合からなる第１のスリット群を有し、通水部の中心部は前記スリットが配置されない非通水領域であり、好ましくは、前記第１のスリット群は、５本〜８本の前記スリット１４１が放射状に配置されている農業用マルチ資材。【選択図】図３
2018099133.tif 000002
【特許請求の範囲】
【請求項１】
水を表裏に通過させる複数の通水部が形成された農業用マルチ資材において、
前記通水部は、中心から距離をおいて放射状に配置された複数本の直線状のスリットの集合からなる第１のスリット群を有し、
前記通水部の中心部は、前記スリットが配置されない非通水領域であることを特徴とする農業用マルチ資材。
【請求項２】
前記第１のスリット群は、５本〜８本の前記スリットが放射状に配置されていることを特徴とする請求項１記載の農業用マルチ資材。
【請求項３】
前記通水部の前記スリットの長さＬ１は、５ｍｍ〜１５ｍｍであることを特徴とする請求項１又は２記載の農業用マルチ資材。
【請求項４】
前記非通水領域の直径は、３ｍｍ〜１０ｍｍであることを特徴とする請求項１、２又は３記載の農業用マルチ資材。
【請求項５】
前記通水部は、前記第１のスリット群を構成する前記スリットの間にそれぞれ配置された複数本のスリットの集合からなる第３のスリット群を有し、
前記第３のスリット群を構成する前記スリットは、前記第１のスリット群を構成する前記スリットよりも中心からの離間距離が大きいことを特徴とする請求項１〜４の何れかに記載の農業用マルチ資材。
【発明の詳細な説明】
【技術分野】
【０００１】
本発明は農業用マルチ資材に関し、詳しくは、水分の蒸発及び雑草の繁茂を抑えながらも、高い通水効率を備え、土壌中の広い範囲に亘って効率良く水分を行き渡らせることができる農業用マルチ資材に関する。
【背景技術】
【０００２】
土壌中の水分の蒸発や雑草の繁茂の抑制等を目的として、農業用マルチ資材によって栽培植物の根域を被覆するマルチ栽培が実施されている。マルチ栽培においては、必要に応じて栽培植物の根に水分を供給するために、農業用マルチ資材の上から灌水が行われる。
【０００３】
従来、農業用マルチ資材には、このように灌水された水分が土壌中に行き渡るようにするため、丸孔や線状のスリットからなる複数の通水部を配列形成したものがある（特許文献１、２）。
【先行技術文献】
【特許文献】
【０００４】
【特許文献１】特許第３８０６５１１号公報
【特許文献２】特許第４４８４８０５号公報
【発明の概要】
【発明が解決しようとする課題】
【０００５】
丸孔からなる通水部は、丸孔に水分が入り込んでも、丸孔の開口に沿ってスポット状に浸透するだけで、丸孔の径に対して水分が土壌中に浸透していく範囲を広げることが難しい。栽培植物は、土壌中の水分に向かって根を伸ばしていく性質（水分屈性）があるため、土壌中の広い範囲に水分が行き渡らないと、栽培植物の根域が制限され易くなる。
【０００６】
しかし、水分を土壌中の広い範囲に行き渡らせるために穴径を大きくすると、水分蒸発によって土壌が乾燥し易くなり、頻繁な灌水が必要になると共に、雑草が繁茂し易くなる。また、水分を土壌中の広い範囲に行き渡らせるために丸孔の間隔を詰めて数多く配列させると、土壌の乾燥や資材強度の低下に繋がるおそれがあり、丸孔の数を増やして対応することには無理がある。
【０００７】
一方、線状のスリットからなる通水部は、スリットを直線状とすることで口が開きにくく、水分の蒸発や雑草の繁茂を抑制できるため、通水部の構成として好ましい。しかし、直線状のスリットは丸孔に比べて通水効率が劣る。通水効率を高めるためにスリットの長さを長くすると、スリットが風等によって口開きし易くなり、水分の蒸発や雑草の繁茂を招くおそれがある。
【０００８】
従って、限られた長さのスリットでも高い通水効率を確保でき、土壌中の広い範囲に亘って水分を行き渡らせることができる通水部を形成することが求められる。
【０００９】
そこで、本発明は、水分の蒸発及び雑草の繁茂を抑えながらも、高い通水効率を備えた農業用マルチ資材を提供することを課題とする。
【００１０】
本発明の他の課題は、以下の記載により明らかとなる。
【課題を解決するための手段】
【００１１】
上記課題は、以下の各発明によって解決される。
【００１２】
１．
水を表裏に通過させる複数の通水部が形成された農業用マルチ資材において、
前記通水部は、中心から距離をおいて放射状に配置された複数本の直線状のスリットの集合からなる第１のスリット群を有し、
前記通水部の中心部は、前記スリットが配置されない非通水領域であることを特徴とする農業用マルチ資材。
２．
前記第１のスリット群は、５本〜８本の前記スリットが放射状に配置されていることを特徴とする前記１記載の農業用マルチ資材。
３．
前記通水部の前記スリットの長さＬ１は、５ｍｍ〜１５ｍｍであることを特徴とする前記１又は２記載の農業用マルチ資材。
４．
前記非通水領域の直径は、３ｍｍ〜１０ｍｍであることを特徴とする前記１、２又は３記載の農業用マルチ資材。
５．
前記通水部は、前記第１のスリット群を構成する前記スリットの間にそれぞれ配置された複数本のスリットの集合からなる第３のスリット群を有し、
前記第３のスリット群を構成する前記スリットは、前記第１のスリット群を構成する前記スリットよりも中心からの離間距離が大きいことを特徴とする前記１〜４の何れかに記載の農業用マルチ資材。
【発明の効果】
【００１３】
本発明によれば、水分の蒸発及び雑草の繁茂を抑えながらも、高い通水効率を備えた農業用マルチ資材を提供することができる。
【図面の簡単な説明】
【００１４】
【図１】本発明に係る農業用マルチ資材の一例の使用状態を示す図
【図２】図１に示す農業用マルチ資材の平面図
【図３】通水部の一例を示す拡大図
【図４】図３に示す通水部に水（水滴）が付着した様子を説明する図
【図５】通水部の他の一例を示す拡大図
【図６】（ａ）は通水部を格子状に配列させた状態を示す平面図、（ｂ）は通水部を千鳥状に配列させた状態を示す平面図
【図７】第１のスリット群と第２のスリット群を配置された通水部の一例を示す拡大図
【図８】第１のスリット群と第２のスリット群を配置された通水部の他の一例を示す拡大図
【図９】第１のスリット群と第２のスリット群を配置された通水部のさらに他の一例を示す拡大図
【図１０】第１のスリット群と第３のスリット群を配置された通水部のさらに他の一例を示す拡大図
【図１１】第１のスリット群と第３のスリット群を配置された通水部のさらに他の一例を示す拡大図
【図１２】試験片と通水量との関係を示すグラフ
【発明を実施するための形態】
【００１５】
以下、図面を参照して本発明の実施の形態について説明する。
【００１６】
図１は、本発明に係る農業用マルチ資材の一例の使用状態を示す図、図２は、図１に示す農業用マルチ資材の平面図、図３は、図１に示す農業用マルチ資材の通水部の拡大図である。
【００１７】
農業用マルチ資材１は、熱可塑性樹脂製フィルムからなり、圃場に形成された畝１００を被覆している。農業用マルチ資材１の幅方向の中央部は、栽培植物Ｐの植生領域１１であり、この植生領域１１の両側にそれぞれ畝１００の側面から圃場の上面にかけて被覆する裾部１２、１２を有している。裾部１２、１２には、農業用マルチ資材１の風等による捲れ上がりを防止するため覆土される。
【００１８】
植生領域１１は、畝１００の上面に配置される部位である。本実施形態に示す農業用マルチ資材１の植生領域１１には、栽培植物Ｐを植生させる複数の植生孔１３が、農業用マルチ資材１の長さ方向（図２の上下方向）に沿って所定の間隔をおいて形成されている。ここでは円形に開口する植生孔１３を例示したが、×形状等のスリットからなるものであってもよい。また、植生孔１３は必ずしも設けられなくてもよい。
【００１９】
植生領域１１には、水を農業用マルチ資材１の表裏に通過させる複数の通水部１４が、長さ方向及び幅方向（図２の左右方向）に亘って複数配列されている。通水部１４は、図３に示すように、放射状に配置された複数本のスリット１４１の集合からなるスリット群（第１のスリット群）を有している。
【００２０】
複数本のスリット１４１はそれぞれ、内端部１４１ａ、外端部１４１ｂを有する同一長さの直線状に形成され、放射の中心部で互いに繋がることのないように、該中心部から距離をおいて放射状に配置されている。
【００２１】
図３に示す通水部１４は、５本のスリット１４１からなる第１のスリット群によって構成される。このとき、５本のスリット１４１は、各外端部１４１ｂを繋げた仮想上の直線が、正五角形を形作るように、等角度で放射状に配置されている。且つ、各スリット１４１は放射の中心から距離を置いて配置されている。このため、スリット１４１の内端部１４１ａを繋げた中心部（図３中に１点鎖線で示す）は、スリット１４１が配置されない非通水領域１４ａを形成する。非通水領域１４ａは、所定の径を有する円弧状でもよいし、多角形状でもよい。ここで、非通水領域１４ａが円弧状となるのは、各スリット１４１の内端部１４１ａのすべてを仮想上の曲線で繋いだ場合である。非通水領域１４ａが多角形状となるのは、各スリット１４１の内端部１４１ａのすべてを仮想上の直線で繋いだ場合である。非通水領域１４ａの大きさは、非通水領域１４ａの形状を円換算して、その径で表す。以下の説明では、非通水領域１４ａの径について直径という場合もある。なお、径の算出に際して、追加的に設けられ得る他のスリット（例えば後述する第２、第３のスリット群を構成するスリット）は考慮しない。
【００２２】
次に、このような通水部１４を有する農業用マルチ資材１の作用、効果について説明する。
【００２３】
農業用マルチ資材１の上から灌水した際、水（水滴）は農業用マルチ資材１の表面を移動する。その移動過程で、図４に示すように、通水部１４に接触すると、水（水滴）Ｗは放射状に配置された何れかのスリット１４１に吸い付かれる力によって減速する。そして、減速した水（水滴）Ｗは、毛管作用によってスリット１４１の長さ方向に亘って土壌中に浸透していく。通水部１４の中心部はスリット１４１がない非通水領域１４ａであるため、水分がスリット１４１に沿って通水部１４の中心部に集まってしまうことがなく、スリット１４１に沿って放射状又は帯状に広がっていく。
【００２４】
このため、この農業用マルチ資材１によれば、従来の丸孔からなる通水部のように、丸孔の開口に沿ってスポット状に浸透するだけにとどまるようなことがなく、水分をスリット１４１に沿って径方向に放射状又は帯状に浸透させることができ、通水部１４から土壌中の広い範囲に効率良く水分を行き渡らせることができる。
【００２５】
しかも、通水部１４は複数本の直線状のスリット１４１の集合からなるため、通水効率を高めるために、従来の丸孔からなる通水部に比べて直径を大きくしても、水分の蒸発や雑草の繁茂を招くおそれはない。
【００２６】
従って、この農業用マルチ資材１によれば、水分の蒸発及び雑草の繁茂を抑えながらも、高い通水効率を備え、土壌中の広い範囲に亘って効率良く水分を行き渡らせることができる。
【００２７】
また、複数本のスリット１４１は放射状に配置されているため、通水部１４を植生領域１１の長さ方向及び幅方向に複数配列させても、農業用マルチ資材１が一定方向に切れ易くなるようなことはない。
【００２８】
さらに、通水部１４の中心部にはスリット１４１がない非通水領域１４ａを有しているため、スリット１４１が放射状に切れて大きな開口を形成してしまうようなこともない。
【００２９】
通水部１４において、第１のスリット群を構成するスリット１４１の本数は、多い方が隣り合うスリット１４１、１４１の間隔が短くなるため、水（水滴）Ｗとの接触率が高くなり、通水効率を高めることができるために好ましい。しかし、多すぎると通水部１４における部分的な強度低下につながるおそれがあるため、高い通水効率の確保と強度維持を図る観点から、５本〜８本とすることが好ましい。
【００３０】
図５は、スリット１４１の外端を繋げた仮想上の直線が正六角形を形作るように、６本のスリット１４１を放射状に配置させた通水部１４を例示している。スリット１４１を７本、８本とする場合も、上記同様に、スリット１４１の外端を繋げた仮想上の直線がそれぞれ正七角形、正八角形を形作るように、７本、８本のスリット１４１を等角度で放射状に配置させればよい。
【００３１】
通水部１４を構成するスリットの長さＬ１（図３、図５）は、５ｍｍ〜１５ｍｍとすることが好ましい。これよりも短くなると、通水部１４を水（水滴）Ｗと接触させにくくなる。また、これよりも長くなると、使用時に風等によるはためきが発生して口開きを起こし易くなる。より好ましくは７ｍｍ〜１２ｍｍとすることであり、９ｍｍ〜１１ｍｍとすることがさらに好ましい。
【００３２】
また、通水部１４において、スリット１４１が配置されない非通水領域１４ａの直径は、３ｍｍ〜１０ｍｍであることが好ましい。これよりも小さくなると、使用時にスリット１４１が切れて中心部で繋がり易くなる。また、これよりも大きくなると、非通水領域１４ａが大きくなりすぎて、非通水領域１４ａに付着した又は移動した水（水滴）Ｗを何れかのスリット１４１と接触させにくくなる。４ｍｍ〜８ｍｍとすることがより好ましく、５ｍｍ〜７ｍｍとすることがさらに好ましい。
【００３３】
植生領域１１における通水部１４の具体的な配列態様は特に問わないが、一般に、図６（ａ）に示す格子状又は図６（ｂ）に示す千鳥状に配列される。通水効率を高める観点から、隣り合う通水部１４、１４の幅方向（図６の左右方向）の間隔Ｄ１は、２０ｍｍ〜１００ｍｍとすることが好ましく、３０ｍｍ〜６０ｍｍとすることがより好ましく、４０ｍｍ〜５０ｍｍとすることがさらに好ましい。また、同様の観点から、隣り合う通水部１４、１４の長さ方向（図６の上下方向）の間隔Ｄ２は、２０ｍｍ〜１００ｍｍとすることが好ましく、３０ｍｍ〜６０ｍｍとすることがより好ましく、４０ｍｍ〜５０ｍｍとすることがさらに好ましい。
【００３４】
通水部１４は、灌水された水（水滴）Ｗとの接触率をさらに高めて通水量の増量を図る観点から、図７（ａ）、（ｂ）に示すように、第１スリット群を構成するスリット１４１よりも中心部の非通水領域１４ａから離間した位置に、第１のスリット群を構成するスリット１４１から所定の間隔をあけて、複数本の直線状のスリット１４２の集合からなる第２のスリット群を設けることも好ましい。図７（ａ）は第１のスリット群を構成するスリット１４１が５本の場合、（ｂ）は第１のスリット群を構成するスリット１４１が６本の場合である。
【００３５】
図７に示す第２のスリット群を構成するスリット１４２は、第１のスリット群を構成するスリット１４１よりも外側に配置されている。各スリット１４２は、スリット１４１との間に、所定の長さＬ２でスリットが形成されないつなぎ部１４ｂを挟んで、該スリット１４１と一直線状に配置されている。これにより、通水部１４の直径はスリット１４２を形成した分だけ大きくなり、灌水された水（水滴）Ｗとの接触率をさらに高めることができる。また、通水部１４におけるスリット１４１、１４２の全長も長くなるため、それだけ通水量の増量を図ることができる。
【００３６】
スリット１４１、１４２の間にはスリットのないつなぎ部１４ｂが設けられているため、スリット１４１、１４２を足し合わせた長さの１本のスリットを形成する場合に比べて、風等によるはためきの発生を抑制することができる。このつなぎ部１４ｂの長さＬ２は、１ｍｍ〜３ｍｍとすることが好ましい。
【００３７】
第２のスリット群を構成するスリット１４２は、第１のスリット群を構成するスリット１４１と一直線上に配置されるものに限らず、図８（ａ）、（ｂ）、図９（ａ）、（ｂ）に示すように配置されるものでもよい。
【００３８】
図８は、第１のスリット群を構成する各スリット１４１に対して、該スリット１４１の外側に、つなぎ部１４ｂを挟んで複数本のスリット１４２をそれぞれ分岐状に配置させたものである。図８（ａ）は第１のスリット群を構成するスリット１４１が５本の場合、（ｂ）は第１のスリット群を構成するスリット１４１が６本の場合である。ここでは、各スリット１４１に対して、２本ずつのスリット１４２を二股状に分岐するように配置させたが、分岐させる本数は特に限定されない。
【００３９】
また、図９は、第１のスリット群を構成する各スリット１４１に対応して、該スリット１４１の外側に、つなぎ部１４ｂを挟んで、スリット１４１の長さ方向に対して直交する方向に１本ずつのスリット１４２をそれぞれ配置させたものである。図９（ａ）は第１のスリット群を構成するスリット１４１が５本の場合、（ｂ）は第１のスリット群を構成するスリット１４１が６本の場合である。
【００４０】
これら図７〜図９に示すように、第２のスリット群を構成する各スリット１４２を備えた通水部１４とすることにより、上記した効果に加えて、さらに次のような効果が得られる。上記したように、農業用マルチ資材１の表面を移動する水（水滴）は、通水部１４に接触すると、何れかのスリットに吸い付かれる力によって減速し、一部が毛管作用によって吸水されるが、吸水しきれなかった水（水滴）は、そのままスリットを通過することになる。このスリットを通過した水（水滴）の通り道に他のスリットがない場合、水（水滴）の移動速度に勢いがつき、通水部１４を通過してしまう。従って、通水部１４による通水効率をより高めるためには、スリットを通過した水（水滴）が減速されているうちに、次のスリットと速やかに接触させることである。図７〜図９に示す通水部１４は、例えばスリット１４１と接触して減速した水（水滴）の一部が該スリット１４１に沿って通過しても、減速しているうちに第２のスリット群を構成するスリット１４２と接触して吸い付き、毛管作用によって吸水されるようになる。このため、通水部１４による通水効率を一層高めることができる。
【００４１】
ところで、放射状に配置された複数本のスリット１４１によって構成された通水部１４は、中心部から遠くなる程、隣り合うスリット１４１、１４１の間隔が大きくなり、その間で水（水滴）と接触しにくくなる。このため、灌水された水（水滴）との接触率及び通水量の増量をさらに高める観点から、通水部１４は、図１０に示すように、第１のスリット群を構成するスリット１４１の間にそれぞれ配置された複数本のスリット１４３の集合からなる第３のスリット群を有することも好ましい。図１０（ａ）は第１のスリット群を構成するスリット１４１が５本の場合、（ｂ）は第１のスリット群を構成するスリット１４１が６本の場合である。
【００４２】
この第３のスリット群を構成する複数本のスリット１４３はそれぞれ同一長さであり、第１のスリット群を構成するスリット１４１、１４１の間に、該スリット１４１よりも中心部からの離間距離が大きくなるようにそれぞれ配置されている。すなわち、各スリット１４３の内端部１４３ａは、第１のスリット群のスリット１４１の内端部１４１ａよりも外側で、且つ、該スリット１４１の外端部１４１ｂよりも内側に位置している。第３のスリット群を構成するスリット１４３は、第１のスリット群を構成するスリット１４１と同様に放射状に配置されている。ここでは、各スリット１４１の間にそれぞれ１本ずつのスリット１４３を配置させたが、本数は特に限定されない。
【００４３】
これにより、第１のスリット群の隣り合うスリット１４１、１４１の間に付着した水（水滴）Ｗも、第３のスリット群を構成するスリット１４３と接触させて裏面に通水させることができるため、通水効率をより一層高めることができる。
【００４４】
この第３のスリット群を構成する各スリット１４３の外端部１４３ｂは、第１のスリット群のスリット１４１の外端部１４１ｂよりも外側に位置させると、水（水滴）Ｗとの接触率をさらに高めることができるために好ましい。
【００４５】
第３のスリット群を構成する各スリット１４３は、図１１に示すように、各スリット１４１の両側部に、スリット１４１の長さ方向に対して斜め方向に延びるように配置させてもよい。図１１（ａ）は第１のスリット群を構成するスリット１４１が５本の場合、（ｂ）は第１のスリット群を構成するスリット１４１が６本の場合である。スリット１４３の本数を多くすることができるため、スリット１４１、１４１間における水（水滴）との接触率をより高めることができる。ここでは、各スリット１４１の両側部にそれぞれ２本ずつ計４本のスリット１４３を配置させたが、本数は特に限定されない。
【００４６】
なお、図１０、図１１に示した第３のスリット群を構成する各スリット１４３は、図７〜図９に示した通水部１４の各スリット１４１、１４１の間、及び又は、各スリット１４２、１４２の間に配置してもよい。
【００４７】
また、図７〜図１１は、第１のスリット群を構成するスリット１４１が５本の場合（ａ）又は６本の場合（ｂ）を例示したが、他の本数の場合にも同様に適用できる。
【００４８】
さらに、以上の説明では、図３〜図１１に示した各例示において、スリット１４１、１４２及び１４３をそれぞれ等角度で放射状に配置させる態様について記載したが、これに限られない。スリット１４１同士、スリット１４２同士及びスリット１４３同士において、各スリットの外端部を繋げた仮想上の直線は、本発明の効果を好適に発揮する観点で、スリットの数に応じた正多角形が好ましいが、略正多角形であってもよい。また、本発明の効果を損なわない範囲で、正多角形又は略正多角形でなくてもよい。
【００４９】
通水部を構成するスリットは、幅（太さ）を有してもよいし、有しなくてもよい。スリットが幅を有する場合、その幅は格別限定されないが、例えば０．１ｍｍ〜０．８ｍｍとすることが好ましく、０．２ｍｍ〜０．４ｍｍとすることがさらに好ましい。スリットが幅を有する場合、通水部における全スリットの総開口面積（単に開口面積ともいう）は格別限定されないが、例えば２ｍｍ２〜８０ｍｍ２とすることが好ましく、５ｍｍ２〜５０ｍｍ２とすることがさらに好ましい。
【実施例】
【００５０】
以下、実施例によって本発明の効果を例証する。
【００５１】
１．通水量計測試験１
（農業用マルチ資材の試験片の作製）
みかど化工社製ＫＯ白黒２層フィルム（商品名「ＫＯ白黒ダブルマルチ」（登録商標））を使用して、２０ｃｍ×２０ｃｍの１０片のフィルム片を切り出した。各フィルム片の中央に、ＣＯ２ガスレーザー装置（出力：３０Ｗ）を用いて、正五角形状及び正六角形状の放射状に配置させたストレート状のスリットからなる通水部（実施例）と、丸孔からなる通水部（比較例）とをそれぞれ１つずつ形成し、試験片１〜１０とした。各通水部の構成は表１の通りとした。
【００５２】
【表１】
2018099133.tif 000003
【００５３】
（試験方法）
１０個のシャーレ（直径１０ｃｍ×高さ２ｃｍ）にそれぞれ土を入れて軽く押し固め、シャーレの上縁と土の高さが同じになるようにスリキリを行った後、電子天秤を用いてシャーレの重量Ａを測定した。
【００５４】
次いで、各シャーレの上面に試験片１〜１０をそれぞれ皺にならないように被せ、シャーレの外周で固定した。試験片を被せたシャーレを５度傾斜させた状態で、試験片の上からジョウロによって水を１リットルかけた。散水は、ジョウロを試験片の上から４５ｃｍ離し、６０度に傾けて行った。
【００５５】
散水後、各シャーレから試験片を剥がし、電子天秤を用いてシャーレの重量Ｂを測定した。そして、重量Ｂと重量Ａとの差（Ｂ−Ａ）を求めることによって通水部による通水量（ｇ）を測定した。
【００５６】
同様の試験は、各試験片について３回ずつを１セットとし、合計２セット６回行った。１セット目は２０１４年１１月２１日、２５日に実施し、２セット目は２０１４年１１月２７日、２８日、１２月１日に実施した。
【００５７】
試験片１〜１０について、セット毎に通水量の平均を求めた。その結果を表２〜１１に示す。また、試験片１〜１０について、セット毎の通水量の平均値を比較したグラフを図１２に示す。
【００５８】
【表２】
2018099133.tif 000004
【００５９】
【表３】
2018099133.tif 000005
【００６０】
【表４】
2018099133.tif 000006
【００６１】
【表５】
2018099133.tif 000007
【００６２】
【表６】
2018099133.tif 000008
【００６３】
【表７】
2018099133.tif 000009
【００６４】
【表８】
2018099133.tif 000010
【００６５】
【表９】
2018099133.tif 000011
【００６６】
【表１０】
2018099133.tif 000012
【００６７】
【表１１】
2018099133.tif 000013
【００６８】
＜評価＞
以上の各表及び図１２に示すグラフから判るように、複数本の直線状のスリットを放射状に配置させた通水部は、丸孔からなる通水部に比べて通水量を増大させることができ、高い通水効率を確保できた。
【００６９】
２．通水量計測試験２
（農業用マルチ資材の試験片の作製）
みかど化工社製ＫＯ白黒２層フィルム（商品名「ＫＯ白黒ダブルマルチ」（登録商標））を使用して、２０ｃｍ×２０ｃｍの１５片のフィルム片を切り出した。各フィルム片の中央に、ＣＯ２ガスレーザー装置（出力：３０Ｗ）を用いて、スリットからなる通水部（実施例）と、丸孔からなる通水部（比較例）とをそれぞれ１つずつ形成し、試験片１１〜２５とした。各通水部の構成について以下に説明する。
【００７０】
なお、以下の説明では便宜上、第１のスリット群を構成するスリット１４１が５本のものを「ペンタゴン型」、６本のものを「ヘキサゴン型」という。また、通水部１４の形状について、図３及び図５に示したものを「ストレート状」、図７（ａ）、（ｂ）に示したものを「つなぎ状」、図８（ａ）、（ｂ）に示したものを「Ｙ状」、図９（ａ）、（ｂ）に示したものを「Ｔ状」、図１０（ａ）、（ｂ）に示したものを「ずらし状」、図１１（ａ）、（ｂ）に示したものを「雪状」という場合がある。例えば、図９（ａ）に示した通水部１４のタイプは「ペンタゴン型」且つ「Ｔ状」である。
【００７１】
・試験片１１
（１）通水部のタイプ
通水部のタイプは、「ペンタゴン型」且つ「ストレート状」（図３に示したもの）である。
（２）通水部の寸法
通水部の直径は１５ｍｍとした。なお、実施例の通水部に関して、「通水部の直径」というのは、通水部の中心からスリットの末端までの距離を２倍した値である。
第１のスリット群を構成するスリット１４１の各々の長さ（線長Ｌ１）は５ｍｍである。従って、通水部を構成する全スリットの総線長は２５ｍｍである。また、スリットの幅（太さ）は０．２ｍｍ〜０．４ｍｍの範囲であった。
通水部を構成する全スリットの開口面積は８．３ｍｍ２であった。
【００７２】
・試験片１２
（１）通水部のタイプ
通水部のタイプは、試験片１１と同様、「ペンタゴン型」且つ「ストレート状」（図３に示したもの）である。
（２）通水部の寸法
通水部の直径は１５ｍｍとした。
第１のスリット群を構成するスリット１４１の各々の線長は１０ｍｍである。従って、通水部を構成する全スリットの総線長は５０ｍｍである。また、スリットの幅（太さ）は０．２ｍｍ〜０．４ｍｍの範囲であった。
通水部を構成する全スリットの開口面積は１５．５ｍｍ２であった。
【００７３】
・試験片１３
（１）通水部のタイプ
通水部のタイプは、「ペンタゴン型」且つ「雪状」（図１１（ａ）に示したもの）である。
（２）通水部の寸法
通水部の直径は２５ｍｍとした。
第１のスリット群を構成するスリット１４１の各々の線長Ｌ１は１０ｍｍである。また、第３のスリット群を構成するスリット１４３の各々の線長は２ｍｍである。従って、通水部を構成する全スリットの総線長は９０ｍｍである。また、スリットの幅（太さ）は０．２ｍｍ〜０．４ｍｍの範囲であった。
通水部を構成する全スリットの開口面積は２８．６ｍｍ２であった。
【００７４】
・試験片１４
（１）通水部のタイプ
通水部のタイプは、「ペンタゴン型」且つ「つなぎ状」（図７（ａ）に示したもの）である。
（２）通水部の寸法
通水部の直径は５０ｍｍとした。
第１のスリット群を構成するスリット１４１の各々の線長Ｌ１は１０ｍｍである。また、第２のスリット群を構成するスリット１４２の各々の線長は１０ｍｍである。従って、通水部を構成する全スリットの総線長は１００ｍｍである。また、スリットの幅（太さ）は０．２ｍｍ〜０．４ｍｍの範囲であった。
通水部を構成する全スリットの開口面積は３４．０ｍｍ２であった。
【００７５】
・試験片１５
（１）通水部のタイプ
通水部のタイプは、「ペンタゴン型」且つ「ずらし状」（図１０（ａ）に示したもの）である。
（２）通水部の寸法
通水部の直径は５０ｍｍとした。
第１のスリット群を構成するスリット１４１の各々の線長Ｌ１は１０ｍｍである。また、第３のスリット群を構成するスリット１４３の各々の線長は１０ｍｍである。従って、通水部を構成する全スリットの総線長は１００ｍｍである。また、スリットの幅（太さ）は０．２ｍｍ〜０．４ｍｍの範囲であった。
通水部を構成する全スリットの開口面積は３３．０ｍｍ２であった。
【００７６】
・試験片１６
（１）通水部のタイプ
通水部のタイプは、「ペンタゴン型」且つ「Ｔ状」（図９（ａ）に示したもの）である。
（２）通水部の寸法
通水部の直径は３１．７ｍｍとした。
第１のスリット群を構成するスリット１４１の各々の線長Ｌ１は１０ｍｍである。また、第２のスリット群を構成するスリット１４２の各々の線長は１０ｍｍである。従って、通水部を構成する全スリットの総線長は１００ｍｍである。また、スリットの幅（太さ）は０．２ｍｍ〜０．４ｍｍの範囲であった。
通水部を構成する全スリットの開口面積は３５．０ｍｍ２であった。
【００７７】
・試験片１７
（１）通水部のタイプ
通水部のタイプは、「ペンタゴン型」且つ「Ｙ状」（図８（ａ）に示したもの）である。
（２）通水部の寸法
通水部の直径は３８．５ｍｍとした。
第１のスリット群を構成するスリット１４１の各々の線長Ｌ１は１０ｍｍである。また、第２のスリット群を構成するスリット１４２の各々の線長は５ｍｍである。従って、通水部を構成する全スリットの総線長は１００ｍｍである。また、スリットの幅（太さ）は０．２ｍｍ〜０．４ｍｍの範囲であった。
通水部を構成する全スリットの開口面積は３６．０ｍｍ２であった。
【００７８】
・試験片１８
（１）通水部のタイプ
通水部のタイプは、「ヘキサゴン型」且つ「ストレート状」（図５に示したもの）である。
（２）通水部の寸法
通水部の直径は１５ｍｍとした。
第１のスリット群を構成するスリット１４１の各々の線長Ｌ１は５ｍｍである。従って、通水部を構成する全スリットの総線長は３０ｍｍである。また、スリットの幅（太さ）は０．２ｍｍ〜０．４ｍｍの範囲であった。
通水部を構成する全スリットの開口面積は９．９ｍｍ２であった。
【００７９】
・試験片１９
（１）通水部のタイプ
通水部のタイプは、試験片１８と同様、「ヘキサゴン型」且つ「ストレート状」（図５に示したもの）である。
（２）通水部の寸法
通水部の直径は２５ｍｍとした。
第１のスリット群を構成するスリット１４１の各々の線長Ｌ１は１０ｍｍである。従って、通水部を構成する全スリットの総線長は６０ｍｍである。また、スリットの幅（太さ）は０．２ｍｍ〜０．４ｍｍの範囲であった。
通水部を構成する全スリットの開口面積は１７．４ｍｍ２であった。
【００８０】
・試験片２０
通水部のタイプは、「ヘキサゴン型」且つ「雪状」（図１１（ｂ）に示したもの）である。
（２）通水部の寸法
通水部の直径は１５ｍｍとした。
第１のスリット群を構成するスリット１４１の各々の線長Ｌ１は１０ｍｍである。また、第３のスリット群を構成するスリット１４３の各々の線長は２ｍｍである。従って、通水部を構成する全スリットの総線長は１０８ｍｍである。また、スリットの幅（太さ）は０．２ｍｍ〜０．４ｍｍの範囲であった。
通水部を構成する全スリットの開口面積は３０．２ｍｍ２であった。
【００８１】
・試験片２１
通水部のタイプは、「ヘキサゴン型」且つ「つなぎ状」（図７（ｂ）に示したもの）である。
（２）通水部の寸法
通水部の直径は５０ｍｍとした。
第１のスリット群を構成するスリット１４１の各々の線長Ｌ１は１０ｍｍである。また、第２のスリット群を構成するスリット１４２の各々の線長は１０ｍｍである。従って、通水部を構成する全スリットの総線長は１２０ｍｍである。また、スリットの幅（太さ）は０．２ｍｍ〜０．４ｍｍの範囲であった。
通水部を構成する全スリットの開口面積は３３．６ｍｍ２であった。
【００８２】
・試験片２２
通水部のタイプは、「ヘキサゴン型」且つ「ずらし状」（図１０（ｂ）に示したもの）である。
（２）通水部の寸法
通水部の直径は５０ｍｍとした。
第１のスリット群を構成するスリット１４１の各々の線長Ｌ１は１０ｍｍである。また、第３のスリット群を構成するスリット１４３の各々の線長は１０ｍｍである。従って、通水部を構成する全スリットの総線長は１２０ｍｍである。また、スリットの幅（太さ）は０．２ｍｍ〜０．４ｍｍの範囲であった。
通水部を構成する全スリットの開口面積は３９．６ｍｍ２であった。
【００８３】
・試験片２３
通水部のタイプは、「ヘキサゴン型」且つ「Ｔ状」（図９（ｂ）に示したもの）である。
（２）通水部の寸法
通水部の直径は３１．７ｍｍとした。
第１のスリット群を構成するスリット１４１の各々の線長Ｌ１は１０ｍｍである。また、第２のスリット群を構成するスリット１４２の各々の線長は１０ｍｍである。従って、通水部を構成する全スリットの総線長は１２０ｍｍである。また、スリットの幅（太さ）は０．２ｍｍ〜０．４ｍｍの範囲であった。  通水部を構成する全スリットの開口面積は３６．０ｍｍ２であった。
【００８４】
・試験片２４
通水部のタイプは、「ヘキサゴン型」且つ「Ｙ状」（図８（ｂ）に示したもの）である。
（２）通水部の寸法
通水部の直径は５０ｍｍとした。
第１のスリット群を構成するスリット１４１の各々の線長Ｌ１は１０ｍｍである。また、第２のスリット群を構成するスリット１４２の各々の線長は５ｍｍである。従って、通水部を構成する全スリットの総線長は１２０ｍｍである。また、スリットの幅（太さ）は０．２ｍｍ〜０．４ｍｍの範囲であった。
通水部を構成する全スリットの開口面積は３６．０ｍｍ２であった。
【００８５】
・試験片２５（比較例）
（１）通水部のタイプ
通水部のタイプは丸孔である。
（２）通水部の寸法
通水部の直径（丸孔の直径）は３ｍｍとした。
通水部の開口面積は７．０７ｍｍ２であった。
【００８６】
（試験方法）
１５個のシャーレ（直径９ｃｍ×高さ１．６５ｃｍ）にそれぞれ土を入れて軽く押し固め、シャーレの上縁と土の高さが同じになるようにスリキリを行った後、電子天秤を用いてシャーレの重量Ａを測定した。
【００８７】
次いで、各シャーレの上面に試験片１１〜２５をそれぞれ皺にならないように被せ、シャーレの外周で固定した。試験片を被せたシャーレを５度傾斜させた状態で、試験片の上から散水した。散水は、水を溜めたタンクからポンプで水を汲み上げて、送水先に固定した蓮口から５秒間散水することにより行った。このとき、平均流量が約７（Ｌ／ｍｉｎ）になるように事前に調整した。
【００８８】
散水後、試験片の通水部からシャーレ内に水を吸い込まなくなったことを確認した後、各シャーレから試験片を剥がし、電子天秤を用いてシャーレの重量Ｂを測定した。そして、重量Ｂと重量Ａとの差（Ｂ−Ａ）を求めることによって通水部による通水量（ｇ）を測定した。
【００８９】
同様の試験を、各試験片について５回ずつ行い、５回の試験で測定された通水量の平均値を平均通水量（ｇ）とした。
【００９０】
試験片１１〜２５の通水孔の構成及び平均通水量を表１２に示す。
【００９１】
【表１２】
2018099133.tif 000014
【００９２】
＜評価＞
まず、表１２に示すように、実施例（試験片１１〜２４）は、比較例（試験片２５）と比較して、開口面積あたりの通水量が顕著に大きくなっていることがわかる。
特に、試験片１１、１８及び２５は開口面積が近い関係にあるが、複数本のストレート状のスリットを放射状に配置させた通水部を備える試験片１１及び１８（実施例）は、丸孔からなる通水部を備える試験片２５（比較例）に比べて平均通水量が顕著に増大していることがわかる。このことから、複数本のストレート状のスリットを放射状に配置させた通水部によって、高い通水効率を確保できることがわかる。  
【００９３】
また、同じストレート状のスリットでも、「ヘキサゴン型」である試験片１８が、「ペンタゴン型」である試験片１１よりも、開口面積当たりの平均通水量が多かった。このことより、「ヘキサゴン型」の場合では、「ペンタゴン型」と比較してスリットが分散されていることによって、散水された水との接触の機会が増えていることが推定される。
【００９４】
通水孔のタイプが「ペンタゴン型」である試験片のうち、同程度の総線長及び開口面積を有する試験片１４〜１７に着目すると、「つなぎ状」（試験片１４）よりも、「ずらし状」（試験片１５）、「Ｔ状」（試験片１６）及び「Ｙ状」（試験片１７）において、平均通水量が更に増大することがわかる。
【００９５】
「ペンタゴン型」の場合では、「ずらし状」（試験片１５）、「Ｔ状」（試験片１６）及び「Ｙ状」（試験片１７）は、総線長が試験片１２の２倍であるが、平均通水量は試験片１２の２倍を超える。
【００９６】
同様に、通水孔のタイプが「ヘキサゴン型」である試験片のうち、同程度の総線長及び開口面積を有する試験片２１〜２４に着目すると、「つなぎ状」（試験片２１）よりも、「ずらし状」（試験片２２）、「Ｔ状」（試験片２３）及び「Ｙ状」（試験片２４）において、平均通水量が更に増大することがわかる。
【００９７】
これらのことから、「ずらし状」、「Ｔ状」及び「Ｙ状」等の場合では、スリットが分散されていることによって、散水された水との接触の機会が増えていることが推定される。
【００９８】
３．暴露試験（雑草の発生状態の観察）
（農業用マルチ資材の試験片の作製）
みかど化工社製ＫＯ白黒２層フィルム（商品名「ＫＯ白黒ダブルマルチ」（登録商標））を使用して、９５ｃｍ（幅）×５ｍ（長さ）の３片のフィルム片を切り出した。ＣＯ２ガスレーザー装置（出力：３０Ｗ）を用いて、各フィルム片の中央部に長さ方向に沿って、スリットからなる通水部（実施例）と、丸孔からなる通水部（比較例）とをそれぞれ１０個ずつ形成し、試験片２６、２７及び２８とした。試験片２６、２７及び２８の通水部の構成は、それぞれ試験片１、６及び１０の通水部の構成と同様にした。
【００９９】
（試験方法）
みかど化工社の誉田農場の畑（屋外暴露）に畝（畝幅７０ｃｍ、畝長５ｍ）を３本形成し、各畝に試験片２６、２７及び２８をそれぞれ展張した。春期から夏期までの３ヶ月間（２０１５年４月２４日〜２０１５年７月２２日）の試験期間中、試験片の通水部に発生する雑草の本数を継続的に計測し、雑草発生率を算出した。雑草発生率（％）は、雑草が発生した通水部の数を通水部の総数で割った値を百分率で示したものである。結果を表１３に示す。
【０１００】
【表１３】
2018099133.tif 000015
【０１０１】
＜評価＞
表１３に示すように、試験片２６、２７及び２８の通水孔は開口面積が近いが、複数のスリットからなる通水部（ストレート状を放射状に配置）を備える試験片２６及び２７は、丸孔からなる通水部を備える試験片２８に比べて、雑草発生率が低く（本試験条件では雑草の発生なし）、雑草の繁茂を抑える機能に優れることがわかる。
【０１０２】
更に、上記と同様の試験を、試験片２６、２７及び２８について夏期から秋期までの３ヶ月間（２０１４年７月２８日〜２０１４年１０月２８日）の試験期間で試験し、また、試験片２７及び２８について夏期から冬期までの４ヶ月間（２０１４年８月２８日〜２０１４年１２月２３日）の試験期間で試験した。
その結果は、表１３に示した結果と同様の傾向であり、試験片２８で雑草の発生が確認されたのに対して、試験片２６及び２７では雑草の発生が確認されなかった。このことから、複数本のストレート状のスリットを放射状に配置させた通水部を備えることによって、年間を通じて種々の雑草に対して繁茂を抑える機能に優れることがわかる。なお、これらの試験において試験片２８の通水部で発生した雑草の種類は、スベリヒユ、ザクロソウ、カヤツリグサ、メヒシバ及びナズナであった。
【０１０３】
また、追加の試験によって、スリットの線長Ｌ１が同程度である場合、「ヘキサゴン型」と比較して「ペンタゴン型」の方が、雑草の繁茂を抑える機能に更に優れることが確認された。更にまた、通水部を「つなぎ状」にする場合は、つなぎ部が設けられることによって、雑草の繁茂を抑える機能に更に優れることが確認された。
【符号の説明】
【０１０４】
１：農業用マルチ資材
１１：植生領域
１２：裾部
１３：植生孔
１４：通水部
１４ａ：非通水領域
１４ｂ：つなぎ部
１４１：スリット（第１のスリット群）
１４１ａ：内端部
１４１ｂ：外端部
１４２：スリット（第２のスリット群）
１４３：スリット（第３のスリット群）
１４３ａ：内端部
１４３ｂ：外端部
１００：畝  Ｐ：栽培植物
Ｗ：水（水滴）
【図１】
2018099133.tif 000016
【図２】
2018099133.tif 000017
【図３】
2018099133.tif 000018
【図４】
2018099133.tif 000019
【図５】
2018099133.tif 000020
【図６】
2018099133.tif 000021
【図７】
2018099133.tif 000022
【図８】
2018099133.tif 000023
【図９】
2018099133.tif 000024
【図１０】
2018099133.tif 000025
【図１１】
2018099133.tif 000026
【図１２】
2018099133.tif 000027